(57)【要約】      （修正有）【課題】カバー本体は半割形成され、半割形成された一対のカバー半体をヒンジ部により枢着してヒンジ部を中心として開閉自在に設け、一対のカバー半体を相互に開閉固定可能な係脱手段を設けたから、カバー半体をヒンジ部を中心として開閉動作することによりライターを収納することができ、ガス消耗時において、ライターの交換を容易に行うことができるライター用カバーを提供する。【解決手段】ライターを収納可能な収納部２とライターの炎噴出部を覆う漏斗状のカバー部３とが一体に形成され合成樹脂製のカバー本体１にライターの着火操作部を指で操作するための開口部４を備えてなり、カバー本体は半割形成され、半割形成された一対のカバー半体１ａ・１ａをヒンジ部５により枢着してヒンジ部を中心として開閉自在に設け、一対のカバー半体を相互に開閉固定可能な係脱手段６を設けてなる。【選択図】図１
0003179763.tif 000002
【実用新案登録請求の範囲】
【請求項１】
ライターを収納可能な収納部と該ライターの炎噴出部を覆う漏斗状のカバー部とが一体に形成された合成樹脂製のカバー本体にライターの着火操作部を指で操作するための開口部を備えてなり、上記カバー本体は半割形成され、該半割形成された一対のカバー半体をヒンジ部により枢着して該ヒンジ部を中心として開閉自在に設け、該一対のカバー半体を相互に開閉固定可能な係脱手段を設けてなることを特徴とするライター用カバー。
【請求項２】
上記ヒンジ部として、一方のカバー半体の底面に鉤状軸受部を形成し、他方のカバー半体に該鉤状軸受部に嵌脱可能な軸状部を形成してなることを特徴とする請求項１記載のライター用カバー。
【請求項３】
上記係脱手段として、一方のカバー半体の対向縁面に凸縁部を形成し、他方のカバー半体の対向縁面に該凸縁部に嵌脱可能な凹縁部を形成し、該凸縁部にカバー半体の開閉方向と直交する係止凸部を形成し、該凹縁部に該係止凸部に嵌脱可能な係止凹部を形成してなることを特徴とする請求項１又２記載のライター用カバー。
【請求項４】
上記一方のカバー半体の対向縁面に規正凸縁部を形成し、他方のカバー半体の対向縁面に該規正凸縁部に嵌脱可能な規正凹縁部を形成して位置規正部を設けてなることを特徴とする請求項１〜３のいずれか1項に記載のライター用カバー。
【請求項５】
上記位置規正部の規正凸縁部に係止凸部を形成すると共に上記規正凹縁部に該係止凸部に嵌脱可能な係止凹部を形成して該位置規正部に係脱手段を設けてなることを特徴とする請求項４記載のライター用カバー。
【考案の詳細な説明】
【技術分野】
【０００１】
本考案は、例えば、お墓参りにおいて、線香や蝋燭にライターで火を付けるとき、ライターの炎が風により消えないようにするライター用カバーに関するものである。
【背景技術】
【０００２】
従来、この種のライター用カバーとして、ライターを収納可能な収納部と該ライターの炎噴出部を覆う漏斗状のカバー部とからなる合成樹脂製のカバー本体にライターの着火操作部を指で操作するための開口部を形成した構造のものが知られている。
【先行技術文献】
【特許文献】
【０００３】
【特許文献１】特開平１０−３０００８７号公報
【考案の概要】
【考案が解決しようとする課題】
【０００４】
しかしながら、これら従来構造の場合、カバー本体の収納部内にライターを収納する構造が複雑化しており、ライターの脱着交換が厄介であるという不都合を有している。
【課題を解決するための手段】
【０００５】
本考案はこれらの不都合を解決することを目的とするもので、本考案のうちで、請求項１記載の考案は、ライターを収納可能な収納部と該ライターの炎噴出部を覆う漏斗状のカバー部とが一体に形成された合成樹脂製のカバー本体にライターの着火操作部を指で操作するための開口部を備えてなり、上記カバー本体は半割形成され、該半割形成された一対のカバー半体をヒンジ部により枢着して該ヒンジ部を中心として開閉自在に設け、該一対のカバー半体を相互に開閉固定可能な係脱手段を設けてなることを特徴とするライター用カバーにある。
【０００６】
又、請求項２記載の考案は、上記ヒンジ部として、一方のカバー半体の底面に鉤状軸受部を形成し、他方のカバー半体に該鉤状軸受部に嵌脱可能な軸状部を形成してなることを特徴とするものであり、又、請求項３記載の考案は、上記係脱手段として、一方のカバー半体の対向縁面に凸縁部を形成し、他方のカバー半体の対向縁面に該凸縁部に嵌脱可能な凹縁部を形成し、該凸縁部にカバー半体の開閉方向と直交する係止凸部を形成し、該凹縁部に該係止凸部に嵌脱可能な係止凹部を形成してなることを特徴とするものであり、又、請求項４記載の考案は、上記一方のカバー半体の対向縁面に規正凸縁部を形成し、他方のカバー半体の対向縁面に該規正凸縁部に嵌脱可能な規正凹縁部を形成して位置規正部を設けてなることを特徴とするものであり、又、請求項５記載の考案は、上記位置規正部の規正凸縁部に係止凸部を形成すると共に上記規正凹縁部に該係止凸部に嵌脱可能な係止凹部を形成して該位置規正部に係脱手段を設けてなることを特徴とするものである。
【考案の効果】
【０００７】
本考案は上述の如く、請求項１記載の考案にあっては、上記カバー本体は半割形成され、半割形成された一対のカバー半体をヒンジ部により枢着してヒンジ部を中心として開閉自在に設け、一対のカバー半体を相互に開閉固定可能な係脱手段を設けたから、カバー半体をヒンジ部を中心として開閉動作することによりライターを収納することができ、ガス消耗時において、ライターの交換を容易に行うことができる。
【０００８】
又、請求項２記載の考案にあっては、上記ヒンジ部として、一方のカバー半体の底面に鉤状軸受部を形成し、他方のカバー半体に鉤状軸受部に嵌脱可能な軸状部を形成しているから、ヒンジ部の構造を簡素化することができると共に両カバー半体を容易に組み付けることができ、又、請求項３記載の考案にあっては、上記係脱手段として、一方のカバー半体の対向縁面に凸縁部を形成し、他方のカバー半体の対向縁面に凸縁部に嵌脱可能な凹縁部を形成し、凸縁部にカバー半体の開閉方向と直交する係止凸部を形成し、凹縁部に係止凸部に嵌脱可能な係止凹部を形成しているから、上記係脱手段の構造を簡素化することができると共に両カバー半体を容易に組み付けることができ、又、請求項４記載の考案にあっては、上記一方のカバー半体の対向縁面に規正凸縁部を形成し、他方のカバー半体の対向縁面に規正凸縁部に嵌脱可能な規正凹縁部を形成し、規正凸縁部及び規正凹縁部によりカバー半体の位置規正部を設けているから、両カバー半体を位置決め状態で組み付けることができ、又、請求項５記載の考案にあっては、上記位置規正部の規正凸縁部に係止凸部を形成すると共に上記規正凹縁部に係止凸部に嵌脱可能な係止凹部を形成して位置規正部に係脱手段を設けてなるから、上記係脱手段の構造を簡素化することができると共に両カバー半体を容易に組み付けることができる。
【図面の簡単な説明】
【０００９】
【図１】本考案の実施の形態例の全体斜視図である。
【図２】本考案の実施の形態例の全体側面図である。
【図３】本考案の実施の形態例の全体斜視図である。
【図４】本考案の実施の形態例の全体斜視図である。
【図５】本考案の実施の形態例の部分斜視図である。
【図６】本考案の実施の形態例の全体縦断面図である。
【図７】本考案の実施の形態例の部分平断面図である。
【図８】本考案の実施の形態例の平断面図である。
【考案を実施するための形態】
【００１０】
図１乃至図８は本考案の実施の各種の形態例を示し、１はカバー本体であって、合成樹脂製にして、圧電素子や発火石を用いた使い捨てのライターＬを収納可能な収納部２とライターＬの炎噴出部Ｌ１を覆う漏斗状のカバー部３とが一体に形成されてなり、カバー本体１にライターＬの着火操作部Ｌ２を指で操作するための開口部４が形成されている。
【００１１】
この場合、上記カバー本体１は割面Ｓで半割形成され、半割形成された一対のカバー半体１ａ・１ａをヒンジ部５により枢着してヒンジ部５を中心として開閉自在に設けられ、カバー半体１ａ・１ａに半収納部２ａ・２ａを形成すると共に半カバー部３ａ・３ａを形成し、かつ、一対のカバー半体１ａ・１ａを相互に開閉固定可能な係脱手段６を設けて構成している。
【００１２】
この場合、上記ヒンジ部５として、一方のカバー半体１ａの底面に鉤状軸受部５ａを形成し、他方のカバー半体１ａに鉤状軸受部５ａに嵌脱可能な軸状部５ｂを形成して構成されている。
【００１３】
又、この場合、上記係脱手段６として、一方のカバー半体１ａの対向縁面に凸縁部６ａを形成し、他方のカバー半体１ａの対向縁面に凸縁部６ａに嵌脱可能な凹縁部６ｂを形成し、凸縁部６ａにカバー半体１ａの開閉方向と直交する係止凸部６ｃを形成し、凹縁部６ｂに係止凸部６ｃに嵌脱可能な係止凹部６ｄを形成している。
【００１４】
又、この場合、上記一方のカバー半体１ａの対向縁面に規正凸縁部７ａを形成し、他方のカバー半体１ａの対向縁面に規正凸縁部７ａに嵌脱可能な規正凹縁部７ｂを形成し、規正凸縁部７ａ及び規正凹縁部７ｂによりカバー半体１ａ・１ａの位置規正部７を設けて構成している。
【００１５】
かつ、この場合、上記位置規正部７の規正凸縁部７ａに係止凸部６ｃを形成すると共に上記規正凹縁部７ｂに係止凸部６ｃに嵌脱可能な係止凹部６ｄを形成して、位置規正部７に係脱手段６を設けている。
【００１６】
この実施の形態例は上記構成であるから、図３の如く、カバー半体１ａ・１ａをヒンジ部５を中心として開動作し、この展開状態において、図４の如く、ライターＬを一方のカバー半体１ａの半収納部２ａに収納し、半収納部２ａに収納した後、他方のカバー半体１ａをヒンジ部５を中心として閉動作し、一対のカバー半体１ａ・１ａを係脱手段６により相互に閉状態に固定し、図２の如く、ライターＬはカバー本体１内に収納され、開口部４に臨む着火操作部Ｌ２により着火し、炎噴出部Ｌ１より炎が立ち上がり、この炎は漏斗状のカバー部３により覆われ、風による炎の立ち消えを防ぎ、指の火傷を未然に防ぐことができる。
【００１７】
すなわち、上記カバー本体１は半割形成され、半割形成された一対のカバー半体１ａ・１ａをヒンジ部５により枢着してヒンジ部５を中心として開閉自在に設け、一対のカバー半体１ａ・１ａを相互に開閉固定可能な係脱手段６を設けたから、カバー半体１ａ・１ａをヒンジ部５を中心として開閉動作することによりライターＬを収納することができ、ガス消耗時において、ライターＬの交換を容易に行うことができる。
【００１８】
この場合、上記ヒンジ部５として、一方のカバー半体１ａの底面に鉤状軸受部５ａを形成し、他方のカバー半体１ａに鉤状軸受部５ａに嵌脱可能な軸状部５ｂを形成しているから、ヒンジ部５の構造を簡素化することができると共に両カバー半体１ａ・１ａを容易に組み付けることができ、又、この場合、上記係脱手段６として、一方のカバー半体１ａの対向縁面に凸縁部６ａを形成し、他方のカバー半体１ａの対向縁面に凸縁部６ａに嵌脱可能な凹縁部６ｂを形成し、凸縁部６ａにカバー半体１ａの開閉方向と直交する係止凸部６ｃを形成し、凹縁部６ｂに係止凸部６ｃに嵌脱可能な係止凹部６ｄを形成しているから、上記係脱手段６の構造を簡素化することができると共に両カバー半体１ａ・１ａを容易に組み付けることができ、又、この場合、上記一方のカバー半体１ａの対向縁面に規正凸縁部７ａを形成し、他方のカバー半体１ａの対向縁面に規正凸縁部７ａに嵌脱可能な規正凹縁部７ｂを形成し、規正凸縁部７ａ及び規正凹縁部７ｂによりカバー半体１ａ・１ａの位置規正部７を設けているから、両カバー半体１ａ・１ａを位置決め状態で組み付けることができ、かつ、この場合、上記位置規正部７の規正凸縁部７ａに係止凸部６ｃを形成すると共に上記規正凹縁部７ｂに係止凹部６ｄを形成して、位置規正部７に係脱手段６を設けているから、上記係脱手段６の構造を簡素化することができると共に両カバー半体１ａ・１ａを容易に組み付けることができる。
【００１９】
尚、本考案は上記実施の形態例のものに限られず、例えば、カバー本体１、収納部２、カバー部３の形態、大きさ等は適宜設計して変更され、さらには、各種のライターＬの種類に応じて変更されることもある。
【００２０】
以上の如く、所期の目的を充分達成することができる。
【符号の説明】
【００２１】
Ｌ    ライター
Ｌ１    炎噴出部
Ｌ２    着火操作部
１    カバー本体
１ａ    カバー半体
２    収納部
３    カバー部
４    開口部
５    ヒンジ部
５ａ    鉤状軸受部
５ｂ    軸状部
６    係脱手段
６ａ    凸縁部
６ｂ    凹縁部
６ｃ    係止凸部
６ｄ    係止凹部
７    位置規正部
７ａ    規正凸縁部
７ｂ    規正凹縁部
【図１】
0003179763.tif 000003
【図２】
0003179763.tif 000004
【図３】
0003179763.tif 000005
【図４】
0003179763.tif 000006
【図５】
0003179763.tif 000007
【図６】
0003179763.tif 000008
【図７】
0003179763.tif 000009
【図８】
0003179763.tif 000010